(57)【要約】【課題】複数の記録媒体のデータを記録先の記録媒体に記録する際、当該データの記録を容易に行うこと、及び記録先の記録媒体に記録したデータの管理を容易に行うこと。【解決手段】複数のＣＤ及びＭＤに記録されているデータを再生させるシステムコントローラ１１と、システムコントローラ１１により再生されたデータを一括してＨＤＤ１４内の同一のフォルダに記録させるシステムコントローラ１１と、を備える。【選択図】図１
2008159107.tif 000002
【特許請求の範囲】
【請求項１】
複数の第１の記録媒体に記録されているデータを再生させる再生制御手段と、
前記再生制御手段により再生されたデータを一括して第２の記録媒体内の同一のフォルダに記録させる制御手段と、
を備えることを特徴とするデータ記録装置。
【請求項２】
前記制御手段は、
前記第１の記録媒体の記録媒体タイトルの有無を判別する判別手段と、
前記判別手段の判別結果に基づいて、前記記録媒体タイトル又は連続番号を前記フォルダのフォルダ名に書き込むフォルダ名書き込み手段と、
前記判別手段の判別結果に基づいて、前記第１の記録媒体のトラックタイトル、連続番号、又は当該トラックタイトルと連続番号との結合タイトルを、前記フォルダ内にファイルとして記録されるデータのファイル名に書き込むファイル名書き込み手段と、
を備えることを特徴とする請求項１に記載のデータ記録装置。
【請求項３】
前記再生制御手段は、
前記第１の記録媒体に記録されているデータを当該第１の記録媒体毎に順番に、又は同時に再生させ、
前記制御手段は、
前記再生制御手段により前記第１の記録媒体毎に順番に、又は同時に再生されたデータを一括して前記第２の記録媒体内の同一のフォルダに記録させることを特徴とする請求項１又は２に記載のデータ記録装置。
【請求項４】
複数の第１の記録媒体に記録されているデータを再生させる再生制御工程と、
前記再生制御工程により再生されたデータを一括して第２の記録媒体内の同一のフォルダに記録させる制御工程と、
を含むことを特徴とするデータ記録方法。
【請求項５】
コンピュータを、
複数の第１の記録媒体に記録されているデータを再生させる再生制御手段、
前記再生制御手段により再生されたデータを一括して第２の記録媒体内の同一のフォルダに記録させる制御手段、
として機能させるためのデータ記録プログラム。
【発明の詳細な説明】
【技術分野】
【０００１】
本発明は、データ記録装置、データ記録方法、及びデータ記録プログラムに関する。
【背景技術】
【０００２】
従来から、光情報記憶媒体であるＭＤ（Mini Disc）、ＣＤ（Compact Disc）等のデータを記録するデータ記録装置が知られている。
【０００３】
図１０及び図１１を参照して、従来のデータ記録装置で実行されるデータ記録処理について説明する。図１０及び図１１に、従来のデータ記録処理のフローを示す。以下、ＣＤから楽曲データを自動録音し、当該録音した楽曲データをデータ記録装置に記録する場合について説明する。
【０００４】
先ず、ユーザにより操作部（図示省略）を介して自動録音キー入力が実行されたか否かが判別される（ステップＳ４０１）。自動録音キー入力が実行されていないと判別された場合（ステップＳ４０１；ＮＯ）、ステップＳ４０１に移行される。自動録音キー入力が実行されていると判別された場合（ステップＳ４０１；ＹＥＳ）、ＣＤメカ部（図示省略）にＣＤがあるか否かが判別される（ステップＳ４０２）。ＣＤがあると判別されなかった場合（ステップＳ４０２；ＮＯ）、ステップＳ４０１に移行される。ＣＤがあると判別された場合（ステップＳ４０２；ＹＥＳ）、ＴＯＣ（Table Of Contents）情報の読み込みが実行される（ステップＳ４０３）。そして、記録媒体に楽曲データを記録するメモリがあるか否かが判別される（ステップＳ４０４）。
【０００５】
楽曲データを記録するメモリがないと判別された場合（ステップＳ４０４；ＮＯ）、ステップＳ４０１に移行される。楽曲データを記録するメモリがあると判別された場合（ステップＳ４０４；ＹＥＳ）、楽曲データを記録するフォルダがあるか否かが判別される（ステップＳ４０５）。楽曲データを記録するフォルダがないと判別された場合（ステップＳ４０５；ＮＯ）、後述するステップＳ４０７に移行される。楽曲データを記録するフォルダがあると判別された場合（ステップＳ４０５；ＹＥＳ）、所定の連続番号（以下、連番）の名称フォルダがあるか否かが判別される（ステップＳ４０６）。ここで、所定の連番の名称フォルダとは、例えば「１」のような番号のフォルダ名が付されたフォルダのことをいう。所定の連番の名称フォルダがないと判別された場合（ステップＳ４０６；ＮＯ）、連番１のフォルダ名のフォルダが作成される（ステップＳ４０７）。所定の連番の名称フォルダがあると判別された場合（ステップ４０６；ＹＥＳ）、連番＋１のフォルダ名のフォルダが作成される（ステップＳ４０８）。例えば、連番「１」のフォルダ名があると判別された場合、「２」のフォルダ名のフォルダが作成される。
【０００６】
ステップＳ４０７及びステップＳ４０８の実行後、作成したフォルダに楽曲データの録音要求が実行される（ステップＳ４０９）。そして、ＣＤ再生の一時停止（ＣＤＰＬＡＹ  ＰＡＵＳＥ）が実行される（ステップＳ４１０）。ステップＳ４１０の実行後、録音の一時停止（ＲＥＣ  ＰＡＵＳＥ）が実行される（ステップＳ４１１）。
【０００７】
そして、録音が開始される（ステップＳ４１２）。ステップＳ４１２の実行後、ＣＤの再生が開始される（ステップＳ４１３）。そして、ＣＤの再生が終了したか否かが判別される（ステップＳ４１４）。ＣＤの再生が終了していると判別された場合（ステップＳ４１４；ＹＥＳ）、ＣＤの再生がストップされる（ステップＳ４１５）。
【０００８】
ＣＤの再生が終了していないと判別された場合（ステップＳ４１４；ＮＯ）、操作部（図示省略）を介してＳＴＯＰキー入力がされたか否かが判別される（ステップＳ４１６）。ＳＴＯＰキー入力がされていないと判別された場合（ステップＳ４１６；ＮＯ）、ステップＳ４１４に移行される。ＳＴＯＰキー入力がされたと判別された場合（ステップＳ４１６；ＹＥＳ）、ステップＳ４１５に移行される。
【０００９】
ステップＳ４１５の実行後、ＣＤのディスクタイトルがあるか否かが判別される（ステップＳ４１７）。ディスクタイトルとは、ＣＤに付されているタイトルのことをいう。ＣＤのディスクタイトルがないと判別された場合（ステップＳ４１７；ＮＯ）、従来のデータ記録処理は終了する。
【００１０】
ＣＤのディスクタイトルがあると判別された場合（ステップＳ４１７；ＹＥＳ）、ＤＳＰ（Digital Signal Processor）（図示省略）に対して、ＣＤのディスクタイトルをフォルダ名に書き込むように書き込み要求が実行される（ステップＳ４１８）。そして、ディスクタイトルの書き込みが完了したか否かが判別される（ステップＳ４１９）。ディスクタイトルの書き込みが完了していないと判別された場合（ステップＳ４１９；ＮＯ）、ステップＳ４１９に移行される。ディスクタイトルの書き込みが完了していると判別された場合（ステップＳ４１９；ＹＥＳ）、従来のデータ記録処理は終了する。
【００１１】
また、複数のＣＤの音楽情報をＭＤに記録する際、ＣＤの音楽情報をＣＤの全体情報（ディスクタイトル）に基づいて、ＣＤ別にグループ管理してＭＤに記録する記録管理手段を備えたオーディオシステムが知られている（例えば、特許文献１参照）。
【特許文献１】特開２００４−３５５７８０号公報
【発明の開示】
【発明が解決しようとする課題】
【００１２】
しかしながら、従来のデータ記録処理は、メディアの数分だけデータの記録を行わなくてはならなかった。例えば、ＣＤ及びＭＤの２つのメディアから楽曲データを記録する場合、ＣＤ、ＭＤの２回分、データ記録処理を行わなくてはならなかった。このため、データの記録に手間を要していた。
また、従来のデータ記録処理では、データ記録装置の記録媒体に記録したメディア毎のフォルダが作成されていた。例えば、ＣＤ及びＭＤの２つのメディアから楽曲データを記録した場合、データ記録装置の記録媒体に２つのフォルダが作成されていた。この場合、１つのフォルダの中に楽曲データを格納して管理したいとき、１つのフォルダに楽曲データを移動させる作業を行わなければならなかった。このため、楽曲データを管理する作業の手間を要していた。
【００１３】
本発明の課題は、複数の記録媒体のデータを記録先の記録媒体に記録する際、当該データの記録を容易に行うこと、及び記録先の記録媒体に記録したデータの管理を容易に行うことである。
【課題を解決するための手段】
【００１４】
上記課題を解決するため、請求項１に記載の発明のデータ記録装置は、
複数の第１の記録媒体に記録されているデータを再生させる再生制御手段と、
前記再生制御手段により再生されたデータを一括して第２の記録媒体内の同一のフォルダに記録させる制御手段と、
を備えることを特徴とする。
【００１５】
請求項２に記載の発明は、請求項１に記載のデータ記録装置において、
前記制御手段は、
前記第１の記録媒体の記録媒体タイトルの有無を判別する判別手段と、
前記判別手段の判別結果に基づいて、前記記録媒体タイトル又は連続番号を前記フォルダのフォルダ名に書き込むフォルダ名書き込み手段と、
前記判別手段の判別結果に基づいて、前記第１の記録媒体のトラックタイトル、連続番号、又は当該トラックタイトルと連続番号との結合タイトルを、前記フォルダ内にファイルとして記録されるデータのファイル名に書き込むファイル名書き込み手段と、
を備えることを特徴とする。
【００１６】
請求項３に記載の発明は、請求項１又は２に記載のデータ記録装置において、
前記再生制御手段は、
前記第１の記録媒体に記録されているデータを当該第１の記録媒体毎に順番に、又は同時に再生させ、
前記制御手段は、
前記再生制御手段により前記第１の記録媒体毎に順番に、又は同時に再生されたデータを一括して前記第２の記録媒体内の同一のフォルダに記録させることを特徴とする。
【００１７】
請求項４に記載の発明のデータ記録方法は、
複数の第１の記録媒体に記録されているデータを再生させる再生制御工程と、
前記再生制御工程により再生されたデータを一括して第２の記録媒体内の同一のフォルダに記録させる制御工程と、
を含むことを特徴とする。
【００１８】
請求項５に記載の発明のデータ記録プログラムは、
コンピュータを、
複数の第１の記録媒体に記録されているデータを再生させる再生制御手段、
前記再生制御手段により再生されたデータを一括して第２の記録媒体内の同一のフォルダに記録させる制御手段、
として機能させることを特徴とする。
【発明の効果】
【００１９】
本発明によれば、複数の記録媒体のデータを記録先の記録媒体に記録する際、当該データの記録を容易に行うこと、及び記録先の記録媒体に記録したデータの管理を容易に行うことができる。
【発明を実施するための最良の形態】
【００２０】
以下、添付図面を参照して本発明に係る実施の形態を詳細に説明する。ただし、発明の範囲は、図示例に限定されない。
【００２１】
（実施の形態）
図１〜図５を参照して、本発明に係る実施の形態を説明する。図１に本発明に係るデータ記録装置１の装置構成を示す。図２〜図５に第１のデータ記録処理のフローを示す。
【００２２】
先ず、図１を参照してデータ記録装置１の装置構成について説明する。
データ記録装置１は、再生制御手段、制御手段、判別手段、フォルダ名書き込み手段、ファイル名書き込み手段としてのシステムマイコン１１と、表示部１２と、操作部１３と、第２の記録媒体としてのＨＤＤ（Hard Disc Drive）１４と、ＣＤメカ部１５と、ＭＤメカ部１６と、ＤＳＰ（Digital Signal Processor）１７と、ＤＡＣ（Digital analog converter）１８と、アンプ部１９と、スピーカー部２０と、セレクター２１と、ＡＤＣ（Analog digital converter）２２と、を備えて構成される。
【００２３】
システムマイコン１１は、ＣＰＵ（Central  Processing  Unit）と、ＲＯＭ（Read  Only  Memory）と、ＲＡＭ（Random  Access  Memory）と（以上、図示省略）、を備える。
【００２４】
ＣＰＵは、各部を中央制御する。ＲＯＭは、情報を読み出し可能なメモリであり、特に、第１のデータ記録プログラムを記憶する。ＲＡＭは、格納する揮発性のメモリであり、各種プログラム及び各種データを展開するワークエリアを有する。
【００２５】
システムマイコン１１は、ＲＯＭに記憶されているシステムプログラム及び各種アプリケーションプログラムの中から指定されたプログラムやＲＡＭに記憶されたデータを読み出して当該ＲＡＭに展開し、ＲＡＭに展開されたプログラムやデータとＣＰＵとの協働で、各種処理を実行する。
【００２６】
システムマイコン１１は、第１のデータ記録プログラムにより、複数の第１の記録媒体としてのＣＤ及びＭＤに記録されているデータとしての楽曲データを一括してデータ記録装置１のＨＤＤ１４内の同一フォルダに格納する。また、システムマイコン１１は、ＣＤ及びＭＤに記録されている楽曲データを、ＣＤ再生部及びＭＤ再生部（以上、図示省略）に再生させる。
【００２７】
表示部１２は、ＬＣＤ（Liquid Crystal Display）等により構成され、システムマイコン１１から入力される表示信号に基づいて、ＣＤ又はＭＤの再生又は記録中に所要の表示動作を行う。例えば、再生中のトラック番号、動作状態（早送り、巻き戻し、録音等）、記録モード等を表示する。
【００２８】
操作部１３は、再生キー、停止キー、サーチキー等の各種入力キーを備え、その押下信号をシステムマイコン１１に出力する。
【００２９】
ＨＤＤ１４は、磁気記憶媒体を備え、システムマイコン１１の指示により、各種情報を読み出し及び書き込み可能に磁気記憶媒体に記憶する。
【００３０】
ＣＤメカ部１５は、ユーザの所望する特定のＣＤをＣＤ再生部（図示省略）に案内して再生可能な状態にセットする機構を備える。ＭＤメカ部１６は、ユーザの所望する特定のＭＤをＭＤ再生部（図示省略）に案内して再生可能な状態にセットする機構を備える。
【００３１】
ＤＳＰ１７は、高速のマイクロプロセッサであり、ＣＤ及びＭＤの楽曲データを、ＭＰ３（MPEG-1 Audio Layer-3）方式やＷＭＡ（Windows Media(登録商標) Audio）への圧縮／伸張の処理、エラー訂正符号化の処理、ＥＦＭ（Eight to Fourteen Modulation）変調処理等の各種デジタル信号処理を施す。
【００３２】
ＤＡＣ１８は、ＤＳＰ１７において処理された所定のデジタル信号をアナログ信号に変換し、アンプ部１９に出力する。アンプ部１９は、ＤＡＣ１８より出力されたアナログ信号を増幅する。スピーカー部２０は、アンプ部１９から出力されたアナログ信号を外部に出力する。
【００３３】
セレクター２１は、ＣＤメカ部１５及びＭＤメカ部１６の出力信号（楽曲データのアナログ信号）を受信し、受信した信号の切り替えを行う。そして、切り替えた信号をＡＤＣ２２に出力する。例えば、ＣＤの楽曲データをＡＤＣ２２に出力する場合、ＣＤの楽曲データをＡＤＣ２２へ出力する。ＡＤＣ２２は、セレクター２１の出力信号を受信する。そして、受信信号（アナログ信号）をデジタル信号に変換し、ＤＳＰ１７に出力する。
【００３４】
次に、本実施の形態のデータ記録装置１の動作について図２〜図５を参照して説明する。図２〜図５に、データ記録装置１で実行される第１のデータ記録処理の流れを示す。第１のデータ記録処理は、ＣＤ及びＭＤに記録されている楽曲データを一括してＨＤＤ１４内の同一のフォルダに記録する処理である。
【００３５】
例えば、データ記録装置１において、第１のデータ記録処理の実行指示が操作部１３を介して入力されたこと等をトリガとして、ＲＯＭから読み出されて適宜ＲＡＭに展開された第１のデータ記録プログラムと、ＣＰＵとの協働により第１のデータ記録処理が実行される。
【００３６】
先ず、ユーザにより操作部１２を介して自動録音キー入力が実行されたか否かが判別される（ステップＳ１０１）。ここで、自動録音キーとは、録音を自動に行うキーのことをいう。自動録音キー入力が実行されていないと判別された場合（ステップＳ１０１；ＮＯ）、ステップＳ１０１に移行される。自動録音キー入力が実行されていると判別された場合（ステップＳ１０１；ＹＥＳ）、ＣＤメカ部１５にＣＤ、及びＭＤメカ部１６にＭＤがあるか否かが判別される（ステップＳ１０２）。ＣＤメカ部１５にＣＤ及びＭＤメカ部１６にＭＤがあると判別されなかった場合（ステップＳ１０２；ＮＯ）、ステップＳ１０１に移行される。ＣＤメカ部１５にＣＤ及びＭＤメカ部１６にＭＤがあると判別された場合（ステップＳ１０２；ＹＥＳ）、ＴＯＣ情報の読み込みが実行される（ステップＳ１０３）。ＴＯＣ情報には、各楽曲データのトラック番号及び各トラックの演奏時間が含まれる。このとき、例えば、リードしたＴＯＣ情報に基づいて、ＨＤＤ１４に予め格納されているＣＤＤＢ（CD DataBase）からメタデータが取得される。メタデータとは、第１の記録媒体の記録媒体タイトルとしてのディスクタイトル、第１の記録媒体のトラックタイトルとしてのトラックタイトル等のデータのことをいう。ここで、ディスクタイトルとは、楽曲データが記録されているＣＤ（又はＭＤ）のタイトル名のことをいう。トラックタイトルとは、各楽曲データのタイトル名のことをいう。
【００３７】
ステップＳ１０３の実行後、ＨＤＤ１４に楽曲データを記録する記憶領域（メモリ）があるか否かが判別される（ステップＳ１０４）。
【００３８】
楽曲データを記録するメモリがないと判別された場合（ステップＳ１０４；ＮＯ）、ステップＳ１０１に移行される。メモリがあると判別された場合（ステップＳ１０４；ＹＥＳ）、楽曲データを記録するフォルダがあるか否かが判別される（ステップＳ１０５）。楽曲データを記録するフォルダがないと判別された場合（ステップＳ１０５；ＮＯ）、後述するステップＳ１０７に移行される。楽曲データを記録するフォルダがあると判別された場合（ステップＳ１０５；ＹＥＳ）、所定の連続番号（以下、連番）のフォルダ名称があるか否かが判別される（ステップＳ１０６）。ここで、所定の連番のフォルダ名称とは、例えば「１」のような番号が付されたフォルダ名を有するフォルダのことをいう。所定の連番のフォルダ名称がないと判別された場合（ステップＳ１０６；ＮＯ）、連番１のフォルダ名のフォルダが作成される（ステップＳ１０７）。所定の連番のフォルダ名称があると判別された場合（ステップ１０６；ＹＥＳ）、所定の連番＋１のフォルダ名のフォルダが作成される（ステップＳ１０８）。例えば、連番「１」のフォルダ名があると判別された場合、「２」のフォルダ名のフォルダが作成される。
【００３９】
ステップＳ１０７及びステップＳ１０８の実行後、作成したフォルダに楽曲データの録音要求がされる（ステップＳ１０９）。そして、ＣＤ再生の一時停止（ＣＤＰＬＡＹ  ＰＡＵＳＥ）が実行される（ステップＳ１１０）。ステップＳ１１０の実行後、録音の一時停止（ＲＥＣ  ＰＡＵＳＥ）が実行される（ステップＳ１１１）。
【００４０】
ステップＳ１１１の実行後、ＣＤの楽曲データの録音が開始される（ステップＳ１１２）。そして、ＣＤの楽曲データの再生が開始される（ステップＳ１１３）。ステップＳ１１３の実行後、ＣＤの楽曲データの再生が終了したか否かが判別される（ステップＳ１１４）。ＣＤの楽曲データの再生が終了していると判別された場合（ステップＳ１１４；ＹＥＳ）、ＣＤの楽曲データの再生がストップされる（ステップＳ１１５）。
【００４１】
ＣＤの楽曲データの再生が終了していないと判別された場合（ステップＳ１１４；ＮＯ）、操作部１３を介してＳＴＯＰキー入力がされたか否かが判別される（ステップＳ１１６）。ＳＴＯＰキー入力がされていないと判別された場合（ステップＳ１１６；ＮＯ）、ステップＳ１１４に移行される。ＳＴＯＰキー入力がされたと判別された場合（ステップＳ１１６；ＹＥＳ）、後述するステップＳ１２２に移行される。
【００４２】
ステップＳ１１５の実行後、ＭＤ再生の一時停止（ＭＤＰＬＡＹ  ＰＡＵＳＥ）が実行される（ステップＳ１１７）。そして、録音の一時停止（ＲＥＣ  ＰＡＵＳＥ）が実行される（ステップＳ１１８）。ステップＳ１１８の実行後、ＭＤの楽曲データの録音が開始される（ステップＳ１１９）。そして、ＭＤの楽曲データの再生が開始される（ステップＳ１２０）。ステップＳ１２０の実行後、ＭＤの楽曲データの再生が終了したか否かが判別される（ステップＳ１２１）。ＭＤの楽曲データの再生が終了していると判別された場合（ステップＳ１２１；ＹＥＳ）、ＭＤの楽曲データの再生がストップされる（ステップＳ１２２）。
【００４３】
ＭＤの楽曲データの再生が終了していないと判別された場合（ステップＳ１２１；ＮＯ）、ユーザより操作部１３を介してＳＴＯＰキー入力がされたか否かが判別される（ステップＳ１２３）。ＳＴＯＰキー入力がされていないと判別された場合（ステップＳ１２３；ＮＯ）、ステップＳ１２１に移行される。ＳＴＯＰキー入力がされたと判別された場合（ステップＳ１２３；ＹＥＳ）後述するステップＳ１２２に移行される。
【００４４】
ステップＳ１２２の実行後、ＣＤのディスクタイトルがあるか否かが判別される（ステップＳ１２４）。ＣＤのディスクタイトルがあると判別された場合（ステップＳ１２４；ＹＥＳ）、ＭＤのディスクタイトルがあるか否かが判別される（ステップＳ１２５）。ＭＤのディスクタイトルがあると判別された場合（ステップＳ１２５；ＹＥＳ）、ユーザの操作指示に基づいて、ＣＤのディスクタイトルをフォルダ名として書き込むか否かが判別される（ステップＳ１２６）。
【００４５】
ＣＤのディスクタイトルをフォルダ名として書き込む場合（ステップＳ１２６；ＹＥＳ）、ＤＳＰ１７に対して、ＣＤのディスクタイトルをフォルダ名に書き込むように書き込み要求が実行される（ステップＳ１２７）。このとき、例えば、ステップＳ１０９において作成したフォルダのフォルダ名が「１」、ＣＤのディスクタイトルが「ａ」であった場合、フォルダ名は「１」から「ａ」に書き換えられる。ＣＤのディスクタイトルをフォルダ名として書き込まない場合（ステップＳ１２６；ＮＯ）、ＤＳＰ１７に対して、ＭＤのディスクタイトルをフォルダ名に書き込むように書き込み要求が実行される（ステップＳ１２８）。このとき、例えば、ステップＳ１０９において作成したフォルダのフォルダ名が「１」、ＭＤのディスクタイトルが「ｂ」であった場合、フォルダ名は、「１」から「ｂ」に書き換えられる。
【００４６】
ステップＳ１２７及びステップＳ１２８の実行後、ＤＳＰ１７に対して、ＣＤファイルの連番とＣＤの楽曲データのトラックタイトルとの結合タイトルを、ＣＤから録音した楽曲データのファイル名に書き込むように書き込み要求が実行される（ステップＳ１２９）。ＣＤファイルの連番とは、フォルダ内にファイルとして記録されるＣＤから録音した楽曲データに付される連続番号ことをいう。ＣＤのファイル名とは、フォルダ内にファイルとして記録されるＣＤから録音した楽曲データに付される名称のことをいう。例えば、ＣＤファイルの連番「１」、トラックタイトル「Ａ」の場合、「１  Ａ」が録音した楽曲データのファイル名に書き込まれるように書き込み要求が実行される。
【００４７】
ステップＳ１２９の実行後、ＣＤの楽曲データの全トラックタイトルの書き込みが完了したか否かが判別される（ステップＳ１３０）。例えば、ＣＤから録音した楽曲データが１０曲あった場合、１０曲全てについて、ＣＤのファイルの連番とトラックタイトルとの結合タイトルの書き込みが完了したか否かが判別される。
【００４８】
ＣＤの楽曲データの全トラックタイトルの書き込みが完了していないと判別された場合（ステップＳ１３０；ＮＯ）、ステップＳ１３０に移行される。ＣＤの全トラックタイトルの書き込みが完了したと判別された場合（ステップＳ１３０；ＹＥＳ）、ＤＳＰ１７に対して、ＭＤのファイルの連番とＭＤの楽曲データのトラックタイトルとの結合タイトルを、ＭＤから録音した楽曲データのファイル名に書き込ように書き込み要求が実行される（ステップＳ１３１）。ＭＤファイルの連番とは、フォルダ内にファイルとして記録されるＭＤから録音した楽曲データに付される連続番号ことをいう。ＭＤのファイル名とは、フォルダ内にファイルとして記録されるＭＤから録音した楽曲データに付される名称のことをいう。例えば、ＭＤのファイルの連番「１」、トラックタイトル「Ｂ」の場合、「１  Ｂ」が録音した楽曲データのファイル名に書き込まれるように書き込み要求が実行される。ＭＤのファイルの連番は、上記のように「１」から開始する場合以外に、ＣＤのファイルの連番に連続する連番でも良い。
【００４９】
そして、ＭＤの楽曲データの全トラックタイトルの書き込みが完了したか否かが判別される（ステップＳ１３２）。ＭＤの楽曲データの全トラックタイトルの書き込みが完了していないと判別された場合（ステップＳ１３２；ＮＯ）、ステップＳ１３２に移行される。全トラックタイトルの書き込みが完了していると判別された場合（ステップＳ１３２；ＹＥＳ）、第１のデータ記録処理は終了する。
【００５０】
ステップＳ１２４において、ＣＤのディスクタイトルがないと判別された場合（ステップＳ１２４；ＮＯ）、ＭＤのディスクタイトルがあるか否かが判別される（ステップＳ１３３）。ＭＤのディスクタイトルがあると判別された場合（ステップＳ１３３；ＹＥＳ）、ＤＳＰ１７に対して、ＭＤのディスクタイトルをフォルダ名に書き込むように書き込み要求が実行される（ステップＳ１３４）。このとき、例えば、ステップＳ１０９において作成したフォルダのフォルダ名が「１」、ＭＤのディスクタイトルが「ｂ」であった場合、フォルダ名は、「１」から「ｂ」に書き換えられる。
【００５１】
そして、ＤＳＰ１７に対して、ＭＤの楽曲データのトラックタイトルを、ＭＤから録音した楽曲データのファイル名に書き込むように書き込み要求が実行される（ステップＳ１３５）。例えば、ＭＤの楽曲データのトラックタイトルが「Ｂ」であった場合、「Ｂ」が録音したデータのファイル名に書き込まれるように書き込み要求が実行される。
【００５２】
そして、ＭＤの全トラックタイトルの書き込みが完了したか否かが判別される（ステップＳ１３６）。ＭＤの全トラックタイトルの書き込みが完了していないと判別された場合（ステップＳ１３６；ＮＯ）、ステップＳ１３６に移行される。ＭＤの全トラックタイトルの書き込みが完了したと判別された場合（ステップＳ１３６；ＹＥＳ）、第１のデータ記録処理は終了する。
【００５３】
ステップＳ１３３において、ＭＤのディスクタイトルがないと判別された場合（ステップＳ１３３；ＮＯ）、ＤＳＰ１７に対して、ＣＤ及びＭＤファイルの連番を、ＣＤ及びＭＤから録音した楽曲データのうちの１つのファイル名に書き込むように書き込み要求が実行される（ステップＳ１３７）。例えば、ＣＤから録音した楽曲データの場合、ＣＤファイルの連番「１」を、ＣＤから録音した楽曲データのうちの１つのファイル名に書き込むように書き込み要求が実行される。したがって、このときの楽曲データのファイル名は「１」、「２」・・・「１０」のように、連番のみとなる。
【００５４】
ステップＳ１３７の実行後、ＣＤ及びＭＤより録音した楽曲データ分の連番書き込みが完了したか否かが判別される（ステップＳ１３８）。例えば、ＣＤ及びＭＤより録音した楽曲データが合計で１０曲あった場合、１０曲の楽曲データの全てについて連番書き込みが完了したか否かが判別される。ＣＤ及びＭＤより録音した楽曲データ分の連番書き込みが完了していないと判別された場合（ステップＳ１３８；ＮＯ）、ＤＳＰ１７に対して、連番＋１をファイル名に書き込むように書き込み要求が実行される（ステップＳ１３９）。このステップでは、例えば、ファイル名が「２」「３」〜「１０」のように、連番が＋１ずつ順番に楽曲データのファイル名に書き込まれる。ＣＤ及びＭＤより録音した楽曲データ分の連番書き込みが完了したと判別された場合（ステップＳ１３９；ＹＥＳ）、第１のデータ記録処理は終了する。
【００５５】
ステップＳ１２５において、ＭＤのディスクタイトルがないと判別された場合（ステップＳ１２５；ＮＯ）、ＤＳＰ１７に対して、ＣＤのディスクタイトルを、フォルダ名に書き込むように書き込み要求が実行される（ステップＳ１４０）。このとき、例えば、ステップＳ１０９において作成したフォルダのフォルダ名が「１」、ＣＤのディスクタイトルが「ａ」であった場合、フォルダ名は、「１」から「ａ」に書き換えられる。
【００５６】
そして、ＤＳＰ１７に対して、ＣＤの楽曲データのトラックタイトルを、ＣＤより録音した楽曲データのファイル名に書き込むように書き込み要求が実行される（ステップＳ１４１）。例えば、ＣＤの楽曲データのトラックタイトルが「Ａ」であった場合、「Ａ」が録音したデータのファイル名に書き込まれるように書き込み要求が実行される。
【００５７】
そして、ＣＤの全トラックタイトルの書き込みが完了したか否かが判別される（ステップＳ１４２）。ＣＤの全トラックタイトルの書き込みが完了していないと判別された場合（ステップＳ１４２；ＮＯ）、ステップＳ１４２に移行される。ＣＤの全トラックタイトルの書き込みが完了したと判別された場合（ステップＳ１４２；ＹＥＳ）、第１のデータ記録処理は終了する。
【００５８】
以上、本実施の形態によれば、システムコントロール１１により再生された楽曲データを一括して同一のフォルダに記録させることができる。これにより、ＣＤ及びＭＤの楽曲データをＨＤＤ１４に記録する際、当該楽曲データの記録を容易に行うこと、及びＨＤＤ１４に記録した楽曲データの管理を容易に行うことができる。
【００５９】
また、ＣＤ及びＭＤのディスクタイトルの有無の判別結果に基づいて、ＣＤ及びＭＤのディスクタイトル又は連続番号をフォルダ名に書き込むことができる。また、ＣＤ及びＭＤのトラックタイトル、連続番号、又は当該トラックタイトルと連続番号との結合タイトルをフォルダに記憶される楽曲データのファイル名に書き込むことができる。これにより、同一のフォルダ内に同一のファイル名の楽曲データが存在することなく、楽曲データを記録することができる。
【００６０】
（変形例）
図６〜図９を参照して、本発明に係る実施の形態の変形例を説明する。図６〜図９に本発明に係る第２のデータ記録処理の流れを示すフローチャートを示す。以下、本実施の形態の変形例の装置構成は、上記実施の形態と同様にデータ記録装置１を用い、上記実施の形態と同様な部分には、その詳細な説明を援用し、異なる部分について説明する。  
【００６１】
データ記録装置１において、第２のデータ記録処理がＲＯＭに記憶される。第２のデータ記録処理は、ＣＤ及びＭＤの楽曲データを同時に再生し、当該再生した楽曲データを同一のフォルダに記録する処理である。
【００６２】
例えば、データ記録装置１において、第２のデータ記録処理の実行指示が操作部１３を介して入力されたこと等をトリガとして、ＲＯＭから読み出されて適宜ＲＡＭに展開された第２のデータ記録プログラムと、ＣＰＵとの協働によりデータ記録処理が実行される。
【００６３】
先ず、ユーザにより操作部１２を介して自動録音キー入力が実行されたか否かが判別される（ステップＳ２０１）。自動録音キー入力が実行されていないと判別された場合（ステップＳ２０１；ＮＯ）、ステップＳ２０１に移行される。自動録音キー入力が実行されていると判別された場合（ステップＳ２０１；ＹＥＳ）、ＣＤメカ部１５にＣＤ、及びＭＤメカ部１６にＭＤがあるか否かが判別される（ステップＳ２０２）。ＣＤ及びＭＤがあると判別されなかった場合（ステップＳ２０２；ＮＯ）、ステップＳ２０１に移行される。ＣＤ及びＭＤがあると判別された場合（ステップＳ２０２；ＹＥＳ）、ＴＯＣ情報の読み込みが実行される（ステップＳ２０３）。ＴＯＣ情報には、各楽曲データのトラック番号及び各トラックの演奏時間が含まれる。このとき、例えば、リードしたＴＯＣ情報に基づいて、ＨＤＤ１４に予め格納されているＣＤＤＢ（CD DataBase）からメタデータが取得される
【００６４】
ステップＳ２０３の実行後、ＨＤＤ１４に楽曲データを記録するメモリがあるか否かが判別される（ステップＳ２０４）。
【００６５】
メモリがないと判別された場合（ステップＳ２０４；ＮＯ）、ステップＳ２０１に移行される。メモリがあると判別された場合（ステップＳ２０４；ＹＥＳ）、楽曲データを記録するフォルダがあるか否かが判別される（ステップＳ２０５）。フォルダがないと判別された場合（ステップＳ２０５；ＮＯ）、後述するステップＳ２０７に移行される。フォルダがあると判別された場合（ステップＳ２０５；ＹＥＳ）、所定の連番のフォルダ名称があるか否かが判別される（ステップＳ２０６）。所定の連番のフォルダ名称がないと判別された場合（ステップＳ２０６；ＮＯ）、連番１のフォルダが作成される（ステップＳ２０７）。所定の連番のフォルダ名称があると判別された場合（ステップ２０６；ＹＥＳ）、所定の連番＋１のフォルダ名のフォルダが作成される（ステップＳ２０８）。
【００６６】
ステップＳ２０７及びステップＳ２０８の実行後、作成したフォルダに楽曲データの録音要求がされる（ステップＳ２０９）。そして、ＣＤ再生の一時停止（ＣＤＰＬＡＹ  ＰＡＵＳＥ）が実行される（ステップＳ２１０）。ステップＳ２１０の実行後、ＭＤ再生の一時停止（ＭＤＰＬＡＹ  ＰＡＵＳＥ）が実行される（ステップＳ２１１）。そして、録音の一時停止（ＲＥＣ  ＰＡＵＳＥ）が実行される（ステップＳ２１２）。
【００６７】
ステップＳ２１２の実行後、ＣＤ及びＭＤの楽曲データの録音が開始される（ステップＳ２１３）。そして、ＣＤ及びＭＤの再生が開始される（ステップＳ２１４）。ステップＳ２１４の実行後、ＣＤの再生が終了したか否かが判別される（ステップＳ２１５）。ＣＤの再生が終了していないと判別された場合（ステップＳ２１５；ＮＯ）、操作部１３を介してＳＴＯＰキー入力がされたか否かが判別される（ステップＳ２１６）。ＳＴＯＰキー入力がされていないと判別された場合（ステップＳ２１６；ＮＯ）、ステップＳ２１５に移行される。ＳＴＯＰキー入力がされたと判別された場合（ステップＳ２１６；ＹＥＳ）、後述するステップＳ２１８に移行される。
【００６８】
ステップＳ２１５において、ＣＤの再生が終了していると判別された場合（ステップＳ２１５；ＹＥＳ）、ＭＤの再生が終了したか否かが判別される（ステップＳ２１６）。ＭＤの再生が終了していないと判別された場合（ステップＳ２１６；ＮＯ）、ステップＳ２１６に移行される。ＭＤの再生が終了していると判別された場合（ステップＳ２１７；ＹＥＳ）、ＣＤ及びＭＤの再生がストップされる（ステップＳ２１８）。
【００６９】
ステップＳ２１８の実行後、ＣＤのディスクタイトルがあるか否かが判別される（ステップＳ２１９）。ＣＤのディスクタイトルがあると判別された場合（ステップＳ２１９；ＹＥＳ）、ＭＤのディスクタイトルがあるか否かが判別される（ステップＳ２２０）。ＭＤのディスクタイトルがあると判別された場合（ステップＳ２２０；ＹＥＳ）、ユーザの操作指示に基づいて、ＣＤのディスクタイトルをフォルダ名として書き込むか否かが判別される（ステップＳ２２１）。
【００７０】
ＣＤのディスクタイトルをフォルダ名として書き込む場合（ステップＳ２２１；ＹＥＳ）、ＤＳＰ１７に対して、ＣＤのディスクタイトルをフォルダ名に書き込むように書き込み要求が実行される（ステップＳ２２２）。ＣＤのディスクタイトルをフォルダ名として書き込まない場合（ステップＳ２２１；ＮＯ）、ＤＳＰ１７に対して、ＭＤのディスクタイトルをフォルダ名に書き込むように書き込み要求が実行される（ステップＳ２２３）。
【００７１】
ステップＳ２２２及びステップＳ２２３の実行後、ＤＳＰ１７に対して、ＣＤファイルの連番とＣＤの楽曲データのトラックタイトルとの結合タイトルを、ＣＤから録音した楽曲データのファイル名に書き込むように書き込み要求が実行される（ステップＳ２２４）。そして、ＣＤの楽曲データの全トラックタイトルの書き込みが完了したか否かが判別される（ステップＳ２２５）。
【００７２】
ＣＤの楽曲データの全トラックタイトルの書き込みが完了していないと判別された場合（ステップＳ２２５；ＮＯ）、ステップＳ２２５に移行される。ＣＤの全トラックタイトルの書き込みが完了したと判別された場合（ステップＳ２２５；ＹＥＳ）、ＤＳＰ１７に対して、ＭＤのファイルの連番とＭＤの楽曲データのトラックタイトルとの結合タイトルを、ＭＤから録音した楽曲データのファイル名に書き込ように書き込み要求が実行される（ステップＳ２２６）。そして、ＭＤの全トラックタイトルの書き込みが完了したか否かが判別される（ステップＳ２２７）。ＭＤの全トラックタイトルの書き込みが完了していないと判別された場合（ステップＳ２２７；ＮＯ）、ステップＳ２２７に移行される。全トラックタイトルの書き込みが完了していると判別された場合（ステップＳ２２７；ＹＥＳ）、第２のデータ記録処理は終了する。
【００７３】
ステップＳ２１９において、ＣＤのディスクタイトルがないと判別された場合（ステップＳ２１９；ＮＯ）、ＭＤのディスクタイトルがあるか否かが判別される（ステップＳ２２８）。ＭＤのディスクタイトルがあると判別された場合（ステップＳ２２８；ＹＥＳ）、ＤＳＰ１７に対して、ＭＤのディスクタイトルをフォルダ名に書き込むように書き込み要求が実行される（ステップＳ２２９）。そして、ＤＳＰ１７に対して、ＭＤの楽曲データのトラックタイトルを、ＭＤから録音した楽曲データのファイル名に書き込むように書き込み要求が実行される（ステップＳ２３０）。そして、ＭＤの全トラックタイトルの書き込みが完了したか否かが判別される（ステップＳ２３１）。ＭＤの全トラックタイトルの書き込みが完了していないと判別された場合（ステップＳ２３１；ＮＯ）、ステップＳ２３１に移行される。ＭＤの全トラックタイトルの書き込みが完了したと判別された場合（ステップＳ２３１；ＹＥＳ）、第２のデータ記録処理は終了する。
【００７４】
ステップＳ２２８において、ＭＤのディスクタイトルがないと判別された場合（ステップＳ２２８；ＮＯ）、ＤＳＰ１７に対して、ＣＤ及びＭＤファイルの連番を、ＣＤ及びＭＤから録音した楽曲データのうちの１つのファイル名に書き込むように書き込み要求が実行される（ステップＳ２３２）。ステップＳ２３２の実行後、ＣＤ及びＭＤより録音した楽曲データ分の連番書き込みが完了したか否かが判別される（ステップＳ２３３）。ＣＤ及びＭＤより録音した楽曲データ分の連番書き込みが完了していないと判別された場合（ステップＳ２３３；ＮＯ）、ＤＳＰ１７に対して、連番＋１をファイル名に書き込むように書き込み要求が実行される（ステップＳ２３４）。ＣＤ及びＭＤより録音した楽曲データ分の連番書き込みが完了したと判別された場合（ステップＳ２３３；ＹＥＳ）、第２のデータ記録処理は終了する。
【００７５】
ステップＳ２２０において、ＭＤのディスクタイトルがないと判別された場合（ステップＳ２２０；ＮＯ）、ＤＳＰ１７に対して、ＣＤのディスクタイトルを、フォルダ名に書き込むように書き込み要求が実行される（ステップＳ２３５）。そして、ＤＳＰ１７に対して、ＣＤのディスクタイトルをフォルダ名に書き込むように書き込み要求が実行される（ステップＳ２３６）。そして、ＣＤの全トラックタイトルの書き込みが完了したか否かが判別される（ステップＳ２３７）。ＣＤの全トラックタイトルの書き込みが完了していないと判別された場合（ステップＳ２３７；ＮＯ）、ステップＳ２３７に移行される。ＣＤの全トラックタイトルの書き込みが完了したと判別された場合（ステップＳ２３７；ＹＥＳ）、第２のデータ記録処理は終了する。
【００７６】
以上、本変形例によれば、ＣＤ及びＭＤの楽曲データをＣＤ、ＭＤ毎に同時に再生させることができる。これにより、ＣＤ及びＭＤの楽曲データを記録する時間を短縮することができる。
【００７７】
なお、上記実施の形態における記述は、本発明に係るデータ記録装置、データ記録再生方法及びデータ記録プログラムの一例であり、これに限定されるものではない。
【００７８】
例えば、上記実施の形態では、データ記録装置１を、ＨＤＤ１４を備える構成としたが、フラッシュメモリ等の半導体メモリを備える構成としてもよく、半導体メモリを搭載したメモリカード、ＵＳＢ（Universal Serial Bus）メモリ等としてもよい。
【００７９】
また、外部メディアに記録されているデータを楽曲データとしたが、これに限定されるものではない。例えば、静止画、動画等の画像データ（例えば、映画、漫画、ＴＶドラマ等）の他の種類のデータとしてもよい。
【００８０】
また、メタデータを取得する際、外部のメタデータサーバ（図示省略）と通信接続し、外部のメタデータサーバからメタデータを取得する構成としてもよい。
【００８１】
また、ＣＤとＭＤとの両方にメタデータ（ディスクタイトル及びトラックタイトル）が存在し、ＭＤに半角エリア（英語／数字／カタカナ）と全角エリア（平仮名／漢字）とが両方書き込まれている場合、記録したデータのファイル名には連番は付けずにＣＤは半角、ＭＤは全角のトラックタイトルを付けることとしてもよい。
【００８２】
その他、上記実施の形態におけるデータ記録装置１の細部構成及び詳細動作に関しても、本発明の趣旨を逸脱しない範囲で適宜変更可能である。
【図面の簡単な説明】
【００８３】
【図１】本発明に係るデータ記録装置１の構成図である。
【図２】本発明に係る第１のデータ記録処理の流れを示すフローチャートである。
【図３】本発明に係る第１のデータ記録処理の流れを示すフローチャートである。
【図４】本発明に係る第１のデータ記録処理の流れを示すフローチャートである。
【図５】本発明に係る第１のデータ記録処理の流れを示すフローチャートである。
【図６】本発明に係る第２のデータ記録処理の流れを示すフローチャートである。
【図７】本発明に係る第２のデータ記録処理の流れを示すフローチャートである。
【図８】本発明に係る第２のデータ記録処理の流れを示すフローチャートである。
【図９】本発明に係る第２のデータ記録処理の流れを示すフローチャートである。
【図１０】従来のデータ記録処理の流れを示すフローチャートである。
【図１１】従来のデータ記録処理の流れを示すフローチャートである。
【符号の説明】
【００８４】
１     データ記録装置
１１   システムマイコン
１２   表示部
１３   操作部
１４   ＨＤＤ
１５   ＣＤメカ部
１６   ＭＤメカ部
１７   ＤＳＰ
１８   ＤＡＣ
１９   アンプ部
２０   スピーカー部
２１   セレクター
２２   ＡＤＣ
【図１】
2008159107.tif 000003
【図２】
2008159107.tif 000004
【図３】
2008159107.tif 000005
【図４】
2008159107.tif 000006
【図５】
2008159107.tif 000007
【図６】
2008159107.tif 000008
【図７】
2008159107.tif 000009
【図８】
2008159107.tif 000010
【図９】
2008159107.tif 000011
【図１０】
2008159107.tif 000012
【図１１】
2008159107.tif 000013